(57)【要約】【課題】張力センサによって検出された張力を利用できない異常が検出された場合であっても、パーキングブレーキを解除可能とする。【解決手段】電動パーキングブレーキシステムにおいて、異常が検出された場合であっても、電動モータの作動が可能である場合には、ブレーキ解除要求に応じてブレーキの解除制御が行われる（Ｓ６〜８）。その場合に、張力センサの正常時には、張力センサの検出値を使用して、正常時と同様にブレーキ解除制御が行われ（Ｓ７）、張力センサの異常時には、モータに流れる実際の電流に基づいてブレーキ解除制御が行われる（Ｓ８）。張力センサの異常時にもブレーキを解除することが可能となり、運転者は、速やかに車を移動させることが可能となる。【選択図】図７
2008068840.tif 000002
【特許請求の範囲】
【請求項１】
(a)摩擦面を有して車輪と共に回転する回転体と、非回転体に相対移動可能に取り付けられた摩擦材と、その摩擦材を前記回転体の摩擦面に押し付ける押付機構とを含むブレーキと、(b)電動モータと、(c)その電動モータの回転軸の回転を出力部材の直線移動に変換する運動変換装置と、(d)一端部において、前記運動変換装置の出力部材に連結されるとともに、他端部において、前記押付機構に連結されたケーブルと、(e)前記電動モータに電流が供給されない状態で、前記ブレーキにおける前記摩擦材の前記摩擦面への押付力を保持する保持機構とを含む電動パーキングブレーキ機構と、
前記ケーブルに加えられる張力を検出する張力センサと、
前記ブレーキの押付力と前記ケーブルの張力との関係と、押付力の目標値とに基づいて目標張力を取得し、前記電動モータの制御により、前記張力センサによって検出された張力をその目標張力に近づける張力制御装置と、
前記張力センサによって検出された張力値を、前記張力制御装置において利用できなくなる異常を検出する異常検出装置と、
その異常検出装置によって前記異常が検出された場合において、前記ブレーキの作用中にブレーキ解除要求があった場合に、前記電動モータに流れる電流に基づいて、前記ブレーキの解除を制御する異常時ブレーキ解除装置と
を含むことを特徴とする電動パーキングブレーキシステム。
【請求項２】
前記異常時ブレーキ解除装置が、前記電動モータに流れる電流が予め定められた設定値に達するまで前記電動モータへの供給電流を制御し、前記電動モータに流れる電流が予め定められた設定値に達すると、前記電動モータへの電流供給を停止する異常時電流制御部を含む請求項１に記載の電動パーキングブレーキシステム。
【請求項３】
前記異常時ブレーキ解除装置が、前記張力センサ異常検出装置によって前記張力センサの異常が検出された後の、前記ブレーキ解除要求が１回目の要求である場合に、その要求に応じて、前記電動モータへの電流供給を制御することによって前記ブレーキを解除し、そのブレーキ解除要求が２回目以降の要求である場合には、それに応じて、前記電動モータへの電流供給の制御を行わない限定的ブレーキ解除部を含む請求項１または２に記載の電動パーキングブレーキシステム。
【発明の詳細な説明】
【技術分野】
【０００１】
本発明は、電動パーキングブレーキシステムにおける押付力の制御に関するものである。
【背景技術】
【０００２】
特許文献１には、電動パーキングブレーキシステムにおいて軽微な異常が検出された場合に、ブレーキの作動は禁止されるが、解除は許可されることが記載されている。異常が検出されても、電動モータの制御が可能である場合（電動モータが作動可能であり、かつ、張力センサが正常である場合）には、解除要求に応じてブレーキの解除制御が行われるのである。
【特許文献１】特開２００６−１２３７９７号公報
【発明の開示】
【発明が解決しようとする課題】
【０００３】
本発明の課題は、張力センサの異常（張力センサによって検出された張力を利用できなくなる異常）が検出された場合にも、ブレーキ解除可能な電動パーキングブレーキシステムを得ることである。
【課題を解決するための手段および効果】
【０００４】
請求項１に記載の電動パーキングブレーキシステムは、(i)(a)摩擦面を有して車輪と共に回転する回転体と、非回転体に相対移動可能に取り付けられた摩擦材と、その摩擦材を前記回転体の摩擦面に押し付ける押付機構とを含むブレーキと、(b)電動モータと、(c)その電動モータの回転軸の回転を出力部材の直線移動に変換する運動変換装置と、(d)一端部において、前記運動変換装置の出力部材に連結されるとともに、他端部において、前記押付機構に連結されたケーブルと、(e)前記電動モータに電流が供給されない状態で、前記ブレーキにおける前記摩擦材の前記摩擦面への押付力を保持する保持機構とを含む電動パーキングブレーキ機構と、(ii)前記ケーブルに加えられる張力を検出する張力センサと、(iii)前記ブレーキの押付力と前記ケーブルの張力との関係と、押付力の目標値とに基づいて目標張力を取得し、前記電動モータの制御により、前記張力センサによって検出された張力をその目標張力に近づける張力制御装置と、(iv)前記張力センサによって検出された張力値を、前記張力制御装置において利用できなくなる異常を検出する異常検出装置と、(v)その異常検出装置によって前記異常が検出された場合において、前記ブレーキの作用中にブレーキ解除要求があった場合に、前記電動モータに流れる電流に基づいて、前記ブレーキの解除を制御する異常時ブレーキ解除装置とを含むものとされる。
電動パーキングブレーキ機構において、電動モータが作動させられると、電動モータの回転軸の回転が出力部材の直線運動に変換されてケーブルが引っ張られる。ブレーキにおいて、押付機構により摩擦材が摩擦面に押し付けられて、ブレーキが作動させられる。張力センサによってケーブルの実際の張力が検出され、検出された張力が目標張力となるように電動モータに供給される電流が制御され、それによって、ブレーキの押付力が制御される。ブレーキにおける押付力は、電動モータに電流が供給されなくても保持機構により保持される。
また、本電動パーキングブレーキシステムにおいては、電動モータが作動可能であり、かつ、張力センサによって検出された張力を利用できなくなる異常が検出された場合には、電動モータへの電流供給の制御が電動モータに流れる電流に基づいて行われる。その結果、張力センサによる検出値を利用できなくなる異常が起きても、ブレーキの解除制御を行うことが可能となる。
【０００５】
請求項２に記載の電動パーキングブレーキシステムにおいては、前記異常時ブレーキ解除装置が、前記電動モータに流れる電流が予め定められた設定値に達するまで前記電動モータへの供給電流を制御し、前記電動モータに流れる電流が予め定められた設定値に達すると、前記電動モータへの電流供給を停止する異常時電流制御部を含むものとされる。
本電動パーキングブレーキシステムにおいては、電動モータに流れる電流値が設定値以上となった場合に、電動モータが停止させられる。ブレーキの解除制御において、出力部材が移動端に達した状態（ケーブルが緩められる側の端部に達し、これ以上、ケーブルを緩める方向に移動できない状態）で、電動モータに電流が供給されていると、電動モータに流れる電流が増加し、設定値（ロック電流）以上となることが知られている。この、電動モータに流れる電流が設定値以上になったことが、電動モータへの供給電流の終了条件として利用されるのであり、電動モータに流れる電流が設定値以上になると、電動モータが停止させられる。また、この場合には、ケーブルの張力が０で、ブレーキが解除されたと考えることができる。
それに対して、電動モータに流れる電流が設定値より小さい間は、出力部材が移動途中にあるのであり、この間は、電動モータへの供給電流が制御される。電動モータへの供給電流は、電動パーキングブレーキシステムが正常である場合と同様に制御されるようにしても、異なる態様で制御されるようにしてもよい。例えば、正常である場合より、電動モータの回転速度が小さくなるように（出力部材の移動速度が小さくなるように）制御されるようにすることができる。
請求項３に記載の電動パーキングブレーキシステムにおいては、前記異常時ブレーキ解除装置が、前記異常検出装置によって前記異常が検出された後の、前記ブレーキ解除要求が１回目の要求である場合に、その要求に応じて、前記電動モータへの電流供給を制御することによって前記ブレーキを解除し、そのブレーキ解除要求が２回目以降の要求である場合には、それに応じて、前記電動モータへの電流供給の制御を行わない限定的ブレーキ解除部を含むものとされる。
ブレーキ作用中にブレーキ解除要求があった場合には、ブレーキの解除制御が行われるのであるが、異常が検出された後には、１回目の要求は受け入れられるが、２回目以降の要求は拒否される。
通常、異常時には、ブレーキの作動は禁止されるので、２回以上ブレーキの解除要求が出されることはないはずである。しかし、例えば、複数回連続して、ブレーキの解除要求が出される場合（例えば、運転者によってブレーキの解除を指示するスイッチ操作が行われる場合）がある。その場合に、張力センサの異常等により、ケーブルの張力が０であっても０より大きい値として検出される（誤ってブレーキの作用中であるとされる）と、ブレーキの解除要求毎に、電動モータに電流が供給されるおそれがある。出力部材が移動端にある場合に、電動モータに電流が供給されることは望ましいことではない。
一方、電動モータに流れる電流に基づいてブレーキの解除制御が行われれば、車両を移動させることは可能である。
そこで、本電動パーキングブレーキシステムにおいては、異常検出後の、２回目以降のブレーキ解除要求に対して、電動モータに電流が供給されないようにされている。
【実施例】
【０００６】
本発明の一実施例である電動パーキングブレーキシステムを図面に基づいて詳細に説明する。
図１において、符号１０は電動モータを示し、符号１２はクラッチ付き運動変換機構を示す。クラッチ付き運動変換機構１２は、電動モータ１０の出力軸の回転を出力部材の直線運動に変換するとともに、出力部材に加えられる力によって電動モータ１０が回転させられることを防止する。また、符号１４，１６は左右後輪を示し、符号１８，２０は車輪１４，１６にそれぞれ設けられたパーキングブレーキを示す。パーキングブレーキ１８，２０とクラッチ付き運動変換機構１２とは、それぞれ、ケーブル２２，２４によって連結されている。ケーブル２２，２４が、電動モータ１０の作動により引っ張られると、パーキングブレーキ１８，２０が作用する状態とされる。本実施例においては、電動モータ１０，クラッチ付き運動変換機構１２，ケーブル２２，２４、パーキングブレーキ１８，２０等により電動パーキングブレーキ機構３０が構成されている。
【０００７】
クラッチ付き運動変換機構１２は、図２に示すように、ギヤ列４０，クラッチ４２，ねじ機構４４等を含む。
ギヤ列４０は、複数のギヤ４６，４８，５０から成る。ギヤ４６には、電動モータ１０の出力軸５２（ギヤ）に噛合され、ギヤ４６の回転が、ギヤ４８を経てギヤ５０に伝達される。ギヤ５０の電動モータ１０とは反対側の端面には、軸線方向と平行に突出する駆動伝達部５４が設けられている。
クラッチ４２は、一方向クラッチであり、図３に示すように、ハウジング６０と、そのハウジング６０の内周側に設けられたコイルスプリング６２と、クラッチ４２の出力軸６４と一体的に回転可能なロータ６６とを含む。コイルスプリング６２は、巻径が弾性的に僅かに収縮させられた状態でハウジング６０に嵌合されており、それの外周面がハウジング６０の内周面に密着し、素線の端部６８，７０が、それぞれ、内周側に向かって突出させられた状態で設けられている。また、ギヤ５０の駆動伝達部５４が２つの端部６８，７０で挟まれた２つの空間の一方に位置し、ロータ６６が他方に位置する。
【０００８】
電動モータ１０の回転に伴ってギヤ５０が回転すると、駆動伝達部５４が端部６８，７０のいずれか一方に当接し、コイルスプリング６２が巻き締められてハウジング６０の内周面とスプリング６２の外周面との間の摩擦力が小さくなる。それによって、コイルスプリング６２，ロータ６６が回転可能となり、出力軸６４を回転させる。出力軸６４はギヤ５０と一体的に回転させられるのであり、クラッチ４２によって、電動モータ１０の回転が出力軸６４に伝達されることになる。
電動モータ１０に電流が供給されない状態において、出力軸６４にトルクが加わると、ロータ６６が端部６８，７０のいずれか一方に当接し、それによって、コイルスプリング６２が拡径させられる。コイルスプリング６２の外周面とハウジング６０の内周面との間の摩擦力が大きくなり、コイルスプリング６２の回転は阻止される。クラッチ４２によって、出力軸６４のトルクのギヤ５０への伝達が阻止され、電動モータ１０に電流が供給されない状態において、出力軸６４に加えられるトルクによって電動モータ１０が回転させられることはないのである。
【０００９】
ねじ機構４４は、ハウジング８０と、軸線Ｌと平行な方向に延びた雄ねじ部材８２と、雄ねじ部材８２に螺合させられた図示しないナットと、ナットに軸線Ｍ回りに相対回動可能に取り付けられたイコライザ８４とを含む。雄ねじ部材８２は、一対のラジアルベアリング８５（他方は図示は省略する）、ニードルスラストベアリング８６を介して、ハウジング８０に相対回転可能に支持される。イコライザ８４の両アームには、それぞれ、ケーブル２２，２４のインナケーブル８７が連結されている。イコライザ８４の本体には係合突部８８が設けられ、図示は省略するが、ハウジング８０に、軸線Ｌと平行な方向に設けられたガイド部に係合させられる。その結果、イコライザ８４は、ハウジング８０に、軸線Ｌを中心とした相対回転不能、軸線Ｌと平行な方向に相対移動可能、かつ、係合突部８８の回り（軸線Ｍの回り）に相対回動可能となっている。
【００１０】
イコライザ８４は、図２に実線で示す位置と二点鎖線で示す位置との間で、ハウジング８０に対して相対移動可能とされており、イコライザ８４の相対移動に伴ってケーブル２２，２４のインナケーブル８７が引っ張られたり、緩められたりする。また、イコライザ８４は、２つのケーブル２２，２４のインナケーブル８７に加えられる張力（以下、単にケーブル２２，２４の張力という）が同じになるように、係合突部８８の回り（軸線Ｍの回り）に回動させられる。
なお、ハウジング８０の内部には、ケーブル２４の張力を検出する張力センサ９０が設けられている。イコライザ８４により、ケーブル２２，２４に加えられる張力は同じ大きさとされるため、張力センサ９０によって検出されたケーブル２４に加えられた張力は、ケーブル２２に加えられた張力でもある。
また、符号９２は異常時解除装置を示す。異常時解除装置９２は、電動モータ１０の異常時等に、パーキングブレーキ１８，２０を解除するための装置である。ケーブル９３をギヤ９５の内部に押し込み、手動で、図示しないグリップ部を回転させると、ギヤ９５が回転させられる。そのギヤ９５の回転がギヤ４６、４８を介してギヤ５０に伝達され、ギヤ５０の回転により、イコライザ８４がケーブル２２，２４を緩める向きに移動させられる。それによって、パーキングブレーキ１８，２０が解除される。
【００１１】
パーキングブレーキ１８，２０は、図４，５に示すように、本実施例においては、デュオサーボ型のドラムブレーキである。したがって、以下、必要に応じて、パーキングブレーキ１８，２０をドラムブレーキと称することがある。また、図４において、符号９７はブレーキディスクを示し、符号９８はキャリパを示し、これらブレーキディスク９７とキャリパ９８とは、共同してサービスブレーキとしてのディスクブレーキ９９を構成する。パーキングブレーキ１８，２０としてのドラムブレーキは、ブレーキディスク９７の内周側に設けられているのであり、本実施例においては、ドラムインディスクブレーキとなっている。ドラムブレーキ１８，２０は、それそれ、構造が同じものであるため、ドラムブレーキ１８について説明し、ドラムブレーキ２０についての説明を省略する。
【００１２】
ドラムブレーキ１８は、図示しない車体に取り付けられた非回転部材としてのバッキングプレート１００と、内周面に摩擦面１０２を備えて車輪１４と共に回転するドラム１０４とを備えている。バッキングプレート１００の一直径方向に隔たった２箇所には、それぞれアンカ部材１０６と中継リンクとしてのアジャスタ１０８とが設けられている。アンカ部材１０６はバッキングプレート１００に固定されており、アジャスタ１０８はフローティング式とされている。それらアンカ部材１０６とアジャスタ１０８との間には、各々円弧状を成す一対のブレーキシュー１１０ａ，１１０ｂがドラム１０４の内周面に対面するように取り付けられている。一対のブレーキシュー１１０ａ，１１０ｂは、シューホールドダウン装置１１２ａ，１１２ｂによってバッキングプレート１００にそれの面に沿って移動可能に取り付けられている。なお、バッキングプレート１００の中央に設けられた貫通穴は、図示しないアクスルシャフトの貫通を許容するためのものである。
【００１３】
一対のブレーキシュー１１０ａ，１１０ｂは、一端部同士がアジャスタ１０８により作動的に連結される一方、各他端部がアンカ部材１０６と当接して回動可能に支持されるようになっている。一対のブレーキシュー１１０ａ，１１０ｂの一端部同士は、アジャスタスプリング１１４によりアジャスタ１０８に当接する向きに付勢されており、各他端部はリターンスプリング１１５によりアンカ部材１０６に向かって付勢されている。各ブレーキシュー１１０ａ，１１０ｂの外周面に摩擦材としてのブレーキライニング１１６ａ，１１６ｂが保持され、それら一対のブレーキライニング１１６ａ，１１６ｂがドラム１０４の摩擦面１０２に接触させられることにより、それらブレーキライニング１１６ａ，１１６ｂとドラム１０４との間に摩擦力が発生する。アジャスタ１０８は、一対のブレーキシュー１１０ａ，１１０ｂの摩耗に応じて一対のブレーキライニング１１６ａ，１１６ｂとドラム１０４との隙間を調整するために操作される。
【００１４】
図５に押付機構１２０を示す。押付機構１２０は、ブレーキレバー１２２と、ストラット１２４とを含み、アンカ部材１０６をバッキングプレート１００に固定するボルト１３８、１４０の頭部に相対移動可能に支持されている。ブレーキレバー１２２，ストラット１２４は、それぞれ、板状部材であり、ストラット１２４を構成する２枚の板材の間にブレーキレバー１２２が挟まれた状態で、ブレーキレバー１２２とストラット１２４とがそれらの一端部において連結軸１２６の回りに相対回動可能に連結されている。ブレーキレバー１２２において、連結軸１２６からバッキングプレート１００側に隔たった部分に設けられた係合部１２８にブレーキシュー１１０ａが係合させられ、連結軸１２６からバッキングプレート１００に平行な方向において隔たった端部に設けられた係合部１３０にケーブル２２のインナケーブル８７が連結されている。インナケーブル８７は、バッキングプレート１００に設けられた貫通孔１３２に一端が固定されたアウタチューブ１３４に案内されて、バッキングプレート１００のブレーキシュー１１０等が配設された側とは反対側に伸び出させられている。
また、ストラット１２４において、連結軸１２６とは反対側の端部に設けられた係合部１３５にブレーキシュー１１０ｂが係合させられている。
なお、係合部１３０は、図示する状態においては、貫通穴１３２の（ケーブル２２のバッキングプレート１００への固定端の）中心線Ｎより、後退回転方向側に位置する。また、後述するように、押付機構１２０が円周方向に相対移動させられると、それに伴って係合部１３０も相対移動させられるが、設計上、中心線Ｎより前進回転方向側の位置まで相対移動させられることがないようにされている。
【００１５】
押付機構１２０は、被支持部１３６，１３７においてボルト１３８、１４０の頭部に支持されており、インナケーブル８７が引っ張られると、ブレーキレバー１２２が被支持部１３６とボルト１３８の頭部との接触点まわりに回動し、その結果、連結軸１２６およびストラット１２４が図５において右方へ移動させられ、ストラット１２４がブレーキシュー１１０ｂを右方へ押す。その際、ブレーキシュー１１０ｂからの反力がストラット１２４，連結１２６およびブレーキレバー１２２を介してブレーキシュー１１０ａに伝達され、ブレーキシュー１１０ａが図５において左方へ押される。ブレーキシュー１１０ａ，１１０ｂには、それぞれ、同じ大きさの拡開力が加えられて、拡開させられるのであり、その結果、ブレーキライニング１１６ａ，１１６ｂがドラム１０４の内周面１０２に互いに同じ大きさの力で押し付けられる。なお、ケーブル２２に加えられた引張力は、ブレーキレバー１２２のレバー比に応じて倍力され、その倍力された力から、被支持部１３６，１３７とボルト１３８，１４０の頭部との間の摩擦力に応じた力を差し引いた大きさの拡開力として、ブレーキシュー１１０ａ，１１０ｂに加えられる。
【００１６】
ドラム１０４にトルクが加えられている状態で、ドラムブレーキ１８が作動させられると、ドラム１０４からブレーキシュー１１０ａ，１１０ｂに円周方向の力が加えられ、ブレーキシュー１１０ａ，１１０ｂの一方がアンカ部材１０６に当接させられ、いわゆるデュオサーボ効果が生じる。前進回転方向（車両が前進する場合の車輪の回転方向）Ｐのトルクが加えられると、自己サーボ効果によりブレーキシュー１１０ａが拡開力のみによる場合より大きな力でドラム１０４に押し付けられる（接触面圧が増大させられる）。この自己サーボ効果による円周方向の力が拡開力と共に、アジャスタ１０８によってブレーキシュー１１０ｂに伝達され、ブレーキシュー１１０ｂはブレーキシュー１１０ａよりも更に強くドラム１０４に押し付けられる。ブレーキシュー１１０ｂがアンカ部材１０６に当接させられ、制動トルクが発生させられる。後退回転方向（車両が後退する場合の車輪の回転方向）Ｑのトルクが加えられた場合には、逆に、ブレーキシュー１１０ａがブレーキシュー１１０ｂよりも強くドラム１０４に押し付けられる。この場合のブレーキシュー１１０ａ，１１０ｂのドラム１０４への押付力は、ケーブル２２の張力の大きさに応じた大きさとなるのであり、これら張力と制動可能トルクとの間には、図６に示す曲線で表される関係がある。車両が停止状態にあり、かつ、ブレーキライニング１１６ａ，１１６ｂとドラム内周面１０２との間の摩擦係数が一定である場合には、制動可能トルク、摩擦力、押付力、拡開力の間には一定の関係が成立し、拡開力が大きくなれば、押付力、摩擦力、制動可能トルクも大きくなる関係にある。したがって、例えば、張力と拡開力との関係に基づけば、張力と押付力との関係、張力と摩擦力との関係、張力と制動可能トルクとの関係を取得することが可能となる。
【００１７】
電動モータ１０は、図１に示すように、電動パーキングブレーキＥＣＵ２００の指令に基づいて制御される。電動パーキングブレーキＥＣＵ２００は、コンピュータを主体とするものであり、入出力部２０２，実行部２０４，記憶部２０６等を含む。入出力部２０２には、パーキングブレーキスイッチ（以下、単に、パーキングスイッチと略称する）２１０，張力センサ９０（図２参照），電流検出部２１１等が接続されるとともに、駆動回路２１２を介して電動モータ１０が接続される。電動モータ１０が電動パーキングブレーキのアクチュエータである。
電動パーキングブレーキＥＣＵ２００は、ＣＡＮ２１４を介して、車両に設けられた他のコンピュータ、例えば、スリップ制御ＥＣＵ（ＶＳＣＥＣＵ）２２０，エンジン・トランスミッションＥＣＵ（ＥＴＣＥＣＵ）２２２、イグニッションスイッチ２２４、報知装置２２５等に接続される。また、スリップ制御ＥＣＵ２２０には前後加速度センサ２２６、車輪速センサ２２７が接続され、エンジン・トランスミッションＥＣＵ２２２にはシフト位置センサ２２８が接続されており、前後加速度、シフト位置、車輪速（あるいは車速）等の情報がスリップ制御ＥＣＵ２２０，エンジン・トランスミッションＥＣＵ２２２，ＣＡＮ２１４を介して、電動パーキングブレーキＥＣＵ２００に供給される。
【００１８】
パーキングスイッチ２１０は、パーキングブレーキ１８，２０の作動（以下、パーキングブレーキ１８，２０の作動をロックと称することがある）を指示する場合、解除（以下、パーキングブレーキ１８，２０の解除をリリースと称することがある）を指示する場合に、操作されるスイッチであり、例えば、ロック側操作部とリリース側操作部とを有するものとすることができる。ロック側操作部が操作された場合（以下、ロック指示操作が行われた場合と略称する）にはロック要求があるとされ、リリース側操作部が操作された場合（以下、リリース指示操作が行われた場合と略称する）にはリリース要求があるとされる。
張力センサ９０は、前述のように、ケーブル２２，２４の張力を検出するものであり、図２の運動変換機構１２のハウジング８０の内部に設けられる。
電流検出部２１１は、電動モータ１０に実際に流れる電流値を検出するものである。電動モータ１０に流れる電流値に基づけば、電動モータ１０の作動状態がわかる。
報知装置２２５は、電動パーキングブレーキシステムの異常等を報知するものであり、例えば、ディスプレイを含むものとすることができる。その他、音声作成部を含むものとしたり、発光部を含むものとしたりすることもできる。報知装置２２５は、警報装置としての機能も有する。
シフト位置センサ２２８は、シフト操作部材２３０の位置を検出するものである。シフト操作部材２３０のシフト位置とトランスミッションのシフト位置とは同じであるのが普通であるため、トランスミッションのシフト位置を検出するものとすることもできる。
前後加速度センサ２２６は、車両の前後方向の加速度を検出するものであるが、本実施例においては、前後加速度に基づいて車両の傾斜角度が取得される。車両の傾斜角度は、車体が路面に平行な姿勢である場合には、車両が停止している路面の傾斜角度θと同じになる。
傾斜角度θは、車両の質量Ｍ(kg)、車両に斜面に沿って作用する力Ｆ(N)、重力加速度ｇ(m/s2)、前後加速度センサ２２６による検出値Ｇ(m/s2)とした場合に、式
Ｆ＝Ｍ・ｇ・sinθ
Ｇ＝ｇ・sinθ
に従って取得される。
【００１９】
本実施例において、電動パーキングブレーキシステムが正常である場合には、パーキングブレーキ１８，２０がパーキングスイッチ２１０の操作に応じて作動させられる。
パーキングスイッチ２１０のロック指示操作が行われた場合には、電動モータ１０が正方向に回転させられる。ケーブル２２，２４が引っ張られ、パーキングブレーキ１８，２０が作動させられる。この場合の電動モータ１０への電流供給は、ケーブル２２，２４に加えられる張力に基づいて制御される。パーキングブレーキ１８，２０による目標制動トルクが傾斜角度θ、シフト位置等に基づいて決定され、目標制動トルクと、図６に示す制動可能トルクと張力との間の関係とから、目標張力が求められる。そして、張力センサ９０によって検出されたケーブル２２，２４の実際の張力が目標張力に近づくように、電動モータ１０への供給電流が制御されるのである。パーキングブレーキ１８，２０において、ブレーキシュー１１０ａ，１１０ｂが拡開させられ、ドラム１０４の内周面に押し付けられる。それによって、パーキングブレーキ１８，２０が作動させられる。
パーキングスイッチ２１０のリリース指示操作が行われた場合には、電動モータ１０が逆方向に回転させられる。張力センサ９０によって検出されたケーブル２２，２４の実際の張力が設定値（停止しきい値）以下になると、電動モータ１０へ電流が供給されなくなることにより、電動モータ１０の作動が停止させられる。設定値は、０とすることができるが、０より大きい値（例えば、電動モータ１０の慣性等を考慮して決まる値とすることができる）とすることもできる。パーキングブレーキ１８，２０において、リターンスプリング１１５により、ブレーキシュー１１０ａ，１１０ｂが縮径させられる。それによって、パーキングブレーキ１８，２０が解除される。
このように、張力センサ９０によって検出されたケーブル２２，２４の張力に基づいて行われる電動モータ１０への供給電流の制御を、張力センサ使用制御と称し、張力センサ使用制御モードが設定された場合に、行われる。
なお、電動パーキングブレーキシステムが正常である場合に、イコライザ８４（ナット）がハウジング８０に当接しないように、電動モータ１０への電流供給が制御される。
【００２０】
本実施例においては、電動パーキングブレーキシステムの異常の有無が検出され、異常が検出された場合には、その異常の内容に応じて電動モータ１０が制御される。
異常の有無は、図１０，１１のフローチャートで表される異常検出プログラム１，２の実行により検出される。異常検出プログラム１，２は、それぞれ、予め定められた設定時間毎に実行される。
図１０の異常検出プログラム１を表すフローチャートにおいて、ステップ１０１（以下、Ｓ１０１と略称する。他のステップについても同様とする）において、ＣＡＮ２１４を介して情報が正常に受信されるか否かが判定され、Ｓ１０２において、張力センサ９０が正常であるか否かが判定され、Ｓ１０３において、電動モータ１０が正常であるか否かが判定され、Ｓ１０４において、その他の異常が有るか否か（断線等している箇所が有るか否か）が判定される。
具体的に、Ｓ１０１においては、ＣＡＮ２１４を介して各センサ２２６，２２７，２２８による検出値を表す情報等が、予め定められた設定時間毎に受信されるか否かが判定される。正常に受信されない場合には、Ｓ１０５において、異常（軽微な異常）であるとされる。
Ｓ１０２において、張力センサ自体が正常であるか否か、張力センサ９０から電動パーキングブレーキＥＣＵ２００に情報を送信可能な状態にあるか否か等が検出される。張力センサ９０やハーネス関係が異常である場合には、Ｓ１０６において、張力センサ９０の異常であるとされる。
Ｓ１０３においては、電動モータ１０，駆動回路２１２等が正常で、電源線、信号線等が断線しておらず、電動モータ１０が正常に作動可能であるか否かが判定される。正常に作動可能でない場合には、Ｓ１０３の判定がＮＯとなり、Ｓ１０７において、さらに、電動モータ１０が作動不能であるか否かが判定される。電動モータ１０の作動が正常でなくても、作動可能であれば、Ｓ１０８において異常（軽微な異常）であると判定され、作動不能である場合には、Ｓ１０９において作動不能異常であると判定される。
Ｓ１０４において、例えば、電動パーキングブレーキシステム内に設けられた１つ以上の電流計によって検出された電流値が正常範囲内にあるか否かが判定される。正常範囲内にない場合には、Ｓ１１０において、異常（軽微な異常）であるとされる。
【００２１】
図１１の異常検出プログラム２を表すフローチャートにおいて、Ｓ１２１において、電動モータ１０が作動中であるか否かが判定される。ロック制御中である場合と、リリース制御中である場合とがある。電動モータ１０が作動中である場合には、Ｓ１２２において、電動モータ１０に流れる電流値等（電動モータ１０の作動状態）が検出され、Ｓ１２３において、ケーブル２２，２４に加えられる張力が張力センサ９０によって検出される。そして、Ｓ１２４において、張力と電動モータ１０の作動状態との関係が正常な関係であるか否かが判定される。これらが互いに対応する関係にある場合には、Ｓ１２４の判定がＹＥＳとなり、正常であるとされる。正常な関係にない場合には、Ｓ１２４の判定がＮＯとなり、さらに、異常の内容が検出される。
例えば、ケーブル２２，２４の張力が電動モータ１０の作動状態に対して過大で、通常の作動状態ではあり得ない大きさである場合等には、Ｓ１２５の判定がＹＥＳとなり、Ｓ１２６において、張力センサ９０の異常であるとされる。
また、電動モータ１０が正方向に回転するように電流（ケーブル２２，２４を引っ張るための電流）が供給されているにも係わらず、張力値が０のままである場合等には、Ｓ１２７の判定がＹＥＳとなり、Ｓ１２８において、電動モータ１０の作動不能異常であるとされる。この場合には、ケーブル２２，２４が切断されている可能性もある。それ以外の場合には、Ｓ１２９において、異常（軽微な異常）であるとされる。
【００２２】
このように、本実施例においては、異常検出プログラム１，２の実行により、軽微な異常（電動モータ１０の作動可能な異常）、電動モータ１０の作動不能異常、張力センサ９０の異常が区別して検出される。なお、Ｓ１０６，１２６において、張力センサ９０の異常と検出された場合には、前述のように、張力センサ自体の異常、ハーネス関係の異常等が含まれ、厳密にいえば、張力センサ９０による検出値を電動モータ１０への供給電流の制御に利用できなくなった異常である。以下、張力センサ９０による検出値を利用できなくなった異常（張力センサ９０自体の異常とは限らないが）を、張力センサ９０の異常と略称する。
【００２３】
異常が、電動モータの作動不能異常でない場合には、パーキングブレーキ１８，２０の作動（ロック）は禁止されるが、解除（リリース）は許可される。すなわち、張力センサ９０の異常が検出されても、ブレーキ１８，２０の解除は許可されるのであり、本実施例においては、電動モータ１０に流れる電流に基づいて電動モータ１０への供給電流が制御され、パーキングブレーキ１８，２０が解除される。イコライザ８４（イコライザ８４が固定されたナット）が移動端（ケーブル２２，２４の緩み側の端部）にあり（ハウジング８０、あるいは、ハウジング８０に設けられたストッパに当接した状態にあり）、それ以上、その方向へ移動できない状態で、電流が供給されていると、電動モータ１０に流れる電流が大きくなり、設定値（ロック電流値と称する）以上となることが知られている。そこで、電動モータ１０に流れる電流がロック電流値に達すると電動モータ１０への電流の供給が停止させられる。
また、電動モータ１０に流れる電流がロック電流値より小さい間は、電動モータ１０の回転速度が正常な場合より小さくなる大きさに制御される。
【００２４】
図７のフローチャートで表される電動モータ制御プログラムは、予め定められた設定時間毎に実行される。Ｓ１において、異常（軽微な異常、モータ作動不能異常、張力センサ異常の少なくとも１つ）が検出されたか否かが判定される。検出されない場合には、判定がＮＯとなり、Ｓ２において、前述のように、張力センサ使用制御が実行される。張力センサ使用制御モードは、電動パーキングブレーキシステムが正常な場合に設定されるが、後述するように、異常である場合にも設定されることがある。
それに対して、異常が検出された場合には、Ｓ１の判定がＹＥＳとなり、Ｓ３において、電動モータ１０の作動不能異常が含まれるか否かが判定される。電動モータ１０の作動不能異常が含まれる場合には、ブレーキ１８，２０の作動も解除も行われることはない。
電動モータ１０の作動不能異常でない場合には、Ｓ３の判定がＮＯとなり、Ｓ４において、解除要求があるか否か、すなわち、パーキングスイッチ２１０のリリース指示操作が行われたか否かが判定される。
リリース指示操作が行われた場合には、Ｓ４の判定がＹＥＳとなり、Ｓ５において、今回のリリース指示操作が異常が検出された後の第１回目の操作であるか否かが判定される。
１回目である場合には、そのリリース指示操作に応じてブレーキ解除が行われるのであるが、その場合には、Ｓ５の判定がＹＥＳとなり、Ｓ６において、張力センサ９０の異常が含まれるか否かが判定される。
【００２５】
張力センサ９０の異常が含まれない場合には、Ｓ６の判定がＮＯとなり、Ｓ７において、張力センサ使用制御モードが設定され、張力センサ使用制御モードによってリリース制御が行われる。
図８のフローチャートで表されるように、Ｓ７１において、張力センサ９０による検出値が上述の停止しきい値（設定値）以下であるか否かが判定され、設定値以下でない場合には、Ｓ７２において、制御指令値が作成される。制御指令値としての電流値は、電動パーキングブレーキシステムが正常である場合と同様に、すなわち、電動モータ１０の回転速度がシステムが正常である場合と同じとなる大きさの電流値が制御指令値として作成されるのである。そして、Ｓ７３において、制御指令値が駆動回路２１２に出力される。張力センサ９０による検出値が停止しきい値より大きい間は、Ｓ７１〜７３が繰り返し実行され、電動モータ１０が逆方向に、システムが正常である場合と同じ回転速度で回転させられる。そして、張力が停止しきい値以下になると、Ｓ７１の判定がＹＥＳとなり、Ｓ７４において、電流値が０である制御指令値が作成され、Ｓ７５において、出力される。電動モータ１０の停止指令が出力されるのである。
【００２６】
それに対して、張力センサ９０が異常である場合には、Ｓ６の判定がＹＥＳとなり、Ｓ８において、モータ電流使用制御モードが設定される。モータ電流使用制御は、電動モータ１０に流れる実際の電流値に基づいて行われる電動モータ１０への供給電流の制御であり、モータ電流使用制御モードが設定されると、実行される。
図９のフローチャートで表されるように、Ｓ８１において、電流値がロック電流値以上であるか否かが判定され、ロック電流値より小さい間、Ｓ８２において、電流値である制御指令値が作成されて、Ｓ８３において、駆動回路２１２に出力される。Ｓ８２において、制御指令値は、電動モータ１０の回転速度が、電動パーキングブレーキシステムが正常である場合の回転速度より小さくなるように決められる。電流値がロック電流値より小さい間は、Ｓ８１〜８３が繰り返し実行され、電動モータ１０は、逆方向に、正常時より小さい回転速度で回転させられる。電流値がロック電流値に達すると、Ｓ８１の判定がＹＥＳとなり、Ｓ８４、８５においてモータ停止指令が出力される。
【００２７】
それに対して、解除要求がない場合（運転者によってリリース指示操作が行われない場合）、あるいは、ロック指示操作が行われた場合には、Ｓ４の判定がＮＯとなる。この場合には、いずれにしても、電動モータ１０が作動させられることはない。電動パーキングブレーキシステムの異常時には、ロック指示操作が行われても、ロック制御が行われることはないのである。
また、２回以上リリース指示操作が行われても、２回目以降の操作に対してはＳ５の判定がＮＯとなる。２回目以降のリリース指示操作に対しては電動モータ１０に電流が供給されることがないのである。異常時には、ロック制御が行われないため、パーキングブレーキ１８，２０は解除状態にあるはずである。しかし、何らかの原因で、ケーブル２２，２４の張力が０より大きい場合や、張力センサ９０の異常により０より大きいと誤って検出される場合があり、パーキングブレーキ１８，２０を解除するために電動モータ１０に電流が供給されるおそれがある。しかし、異常時に、電動モータ１０に電流が供給されること自体は望ましくない。また、一旦、リリース制御が行われれば、車両を移動させることは可能である。そこで、本実施例においては、２回目以降のリリース指示操作に対しては、電動モータ１０に電流が供給されないようにしたのである。
このように、異常が検出された後、パーキングブレーキ１８，２０の解除が１回行われれば、それ以降は、ロック制御もリリース制御も行われることはないのであり、電動パーキングブレーキシステムが作動させられることはない。
なお、電動パーキングブレーキシステムの異常時には、そのことが運転者に報知される。
【００２８】
このように、本実施例においては、張力センサ９０が異常であっても、電動モータ１０が作動可能であれば、パーキングブレーキ１８，２０の解除が許可される。張力センサ９０が異常であってもリリース指示操作が行われれば、パーキングブレーキ１８，２０を解除させることができるのであり、車両を速やかに移動させることが可能となる。
また、その場合には、電動モータ１０に流れる電流に基づいて解除制御が行われる。電動モータ１０に流れる電流がロック電流値以上になったことが終了条件とされるため、張力センサ９０によって検出された張力に基づかなくても、電動モータ１０への供給電流を制御すること（停止条件を定めること）が可能となる。
さらに、電動モータ１０の回転速度が小さくされるため、ブレーキの解除速度を小さくすることができ、それによって、運転者が異常に対処し易くなる。また、イコライザ８４（ナット）の移動速度が小さくされるため、ハウジング８０等に当接しても、当接時に生じる衝撃音を小さくし、振動を小さくすることができる。さらに、ハウジング８０からねじ部材８２に作用する力を小さくすることができるため、ねじ部材８２の耐久性を向上させることが可能となる。
【００２９】
以上のように、本実施例においては、電動パーキングブレーキＥＣＵ２００等の電動モータ制御プログラムを記憶する部分、実行する部分等により張力制御装置が構成される。また、電動パーキングブレーキＥＣＵ２００の、図１０，１１のフローチャートで表される異常検出プログラムを記憶する部分、実行する部分等により異常検出装置が構成される。また、異常検出装置のうちの、Ｓ１０２，１０６，１２５，１２６を記憶する部分、実行する部分等により張力異常検出部が構成される。さらに、電動パーキングブレーキＥＣＵ２００の図７のフローチャートで表される電動モータ制御プログラムのＳ１，３〜８を記憶する部分、実行する部分等により、異常時ブレーキ解除装置が構成される。
また、Ｓ８を記憶する部分、実行する部分等により異常時電流制御部が構成され、Ｓ５の判定がＮＯの場合に、電動モータ１０に電流が供給されないようにされた部分等により限定的ブレーキ解除部が構成される。
張力制御装置は、押付力制御装置、張力依拠制御部でもある。また、異常時ブレーキ解除装置は、異常時ブレーキ解除部、異常時制御部でもある。さらに、電動パーキングブレーキＥＣＵ２００のＳ８２を記憶する部分、実行する部分等により異常時減速部、回転速度低減部、張力異常時回転速度低減部が構成される。
【００３０】
なお、張力センサ９０の異常時には、電動モータ１０への供給電流が予め定められた設定時間の間、供給されるようにすることができる。電動モータ１０への電流供給開始時から設定時間の経過した後に、モータ停止指令が出力されるのである。この場合においても、張力センサ９０の検出値を使用することなく、ブレーキ解除を行うことが可能となる。リリース制御開始時のイコライザ８４の位置が取得できる場合には、その位置に応じて時間を決めることができる。
また、ドラムブレーキにおいて、アンカ部材１０６に加えられる力を検出するトルクセンサを設け、実際の制動トルク（押付力に対応）が目標制動トルクに近づくように、電動モータ１０への供給電流が制御されるようにすることができる。そして、張力センサ９０の異常時には、トルクセンサによる検出値に基づいて電動モータ１０への供給電流が制御されるようにすることもできる。
さらに、上記実施例においては、張力センサ９０の異常以外の異常時には、電動モータ１０の回転速度が抑制されることがなく、正常時と同じ回転速度とされたが（Ｓ７２）、Ｓ８２における場合と同様に、回転速度が正常時より小さくされるようにすることもできる。電動パーキングブレーキシステムの何らかの異常時に、ブレーキの解除速度が正常時より小さくされることは望ましいことである。
また、電動パーキングブレーキシステムの異常時に、ロック作動が許容されるようにすることもできる。その場合において、張力センサ９０が異常である場合には、電動モータ１０に流れる電流に基づいて制御されるようにすることができる。
さらに、上記実施例における異常検出の態様は、一例であり、異常検出の内容等は、上記実施例におけるそれに限定されない。張力センサ９０の異常、電動モータ１０の作動不能異常、それ以外の異常が区別して検出されればよいのである。
【００３１】
また、電動パーキングブレーキ機構の構造は、上記実施例におけるそれに限らない。例えば、運動変換機構１２は、電動モータ１０の出力軸に設けられたギヤに、ケーブル２２，２４の共通部分（イコライザが設けられた位置よりパーキングブレーキとは反対側の部分）を直接巻き付けた構造を成したものとすることもできる。ケーブルの共通部分は、ギヤの接線方向に延び、電動モータ１０の回転により直線的に移動させられる（引っ張られたり、緩められたりする）ことになる。運動変換機構は、さらに、複数のギヤを含むものとすることができ、ウォーム、ウォームホイールを含むものとすることができる。その場合には、クラッチは不要となる。
また、ドラムブレーキは、ユニサーボ型のものとすることもできる。さらに、電動モータ１０は超音波モータとすることもでき、その場合には、クラッチは不可欠ではない。さらに、パーキングブレーキはディスクブレーキとすることもできる。
本発明は、上述に記載の態様の他、当業者の知識に基づいて種々の変更、改良を施した態様で実施することができる。
【図面の簡単な説明】
【００３２】
【図１】本発明の一実施例である電動パーキングブレーキシステム全体を示す図である。
【図２】上記電動パーキングブレーキシステムに含まれる電動モータおよび運動変換機構を表す一部断面図である。
【図３】上記運動変換機構のＡＡ断面図（クラッチの断面図）である。
【図４】上記電動パーキングブレーキシステムに含まれるドラムブレーキの正面図である。
【図５】上記ドラムブレーキの押付機構の正面図である。
【図６】上記電動パーキングブレーキシステムに含まれる電動パーキングブレーキＥＣＵの記憶部に記憶された制動可能トルクと張力との関係であるテーブルを表すマップである。
【図７】上記電動パーキングブレーキＥＣＵ２００の記憶部に記憶された電動モータ制御プログラムを表すフローチャートである。
【図８】上記プログラムの一部を表すフローチャートである。
【図９】上記プログラムの別の一部を表すフローチャートである。
【図１０】上記電動パーキングブレーキＥＣＵ２００の記憶部に記憶された異常検出プログラム１を表すフローチャートである。
【図１１】上記電動パーキングブレーキＥＣＵ２００の記憶部に記憶された異常検出プログラム２を表すフローチャートである。
【符号の説明】
【００３３】
１０：電動モータ  １２：クラッチ付き運動変換機構  １８，２０：パーキングブレーキ  ２２，２４：ケーブル  ３０：電動パーキングブレーキ機構  ９０：張力センサ  ２００：電動パーキングブレーキＥＣＵ  ２１１：電流検出部
【図１】
2008068840.tif 000003
【図２】
2008068840.tif 000004
【図３】
2008068840.tif 000005
【図４】
2008068840.tif 000006
【図５】
2008068840.tif 000007
【図６】
2008068840.tif 000008
【図７】
2008068840.tif 000009
【図８】
2008068840.tif 000010
【図９】
2008068840.tif 000011
【図１０】
2008068840.tif 000012
【図１１】
2008068840.tif 000013